(57)【要約】【課題】基地局装置に基準信号を安定して送信することができる基準信号発生器を提供する。【解決手段】基地局装置同士の無線信号の送信タイミングを一致させるのに使用される基準信号を基地局装置に送信する。基準信号をそれぞれ取得する二つ取得部７，１１と、基準信号が信頼できるか否かの状態を検知する検知部９と、選択部１０とを備えている。選択部１０は、検知部９による検知結果に応じて二つの取得部７，１１がそれぞれ取得する基準信号の内から、使用する基準信号を選択して基地局装置２に送信する。【選択図】図３
2009171228.tif 000002
【特許請求の範囲】
【請求項１】
基地局装置同士の無線信号の送信タイミングを一致させるのに使用される基準信号を基地局装置に送信する基準信号発生器であって、
前記基準信号をそれぞれ取得する複数の取得部と、前記基準信号が信頼できるか否かの状態を検知する検知部と、前記検知部による検知結果に応じて複数の前記取得部がそれぞれ取得する前記基準信号の内から使用する基準信号を選択して前記基地局装置に送信する選択部と、を備えていることを特徴とする基準信号発生器。
【請求項２】
前記複数の取得部として、ＧＰＳ信号に基づいて主とする前記基準信号を取得する第一取得部と、ネットワーク回線を介して副とする前記基準信号を取得する第二取得部とを備え、
前記検知部は、主とする前記基準信号が信頼できるか否かの状態を検知し、
前記選択部は、前記検知部による検知結果に応じて、使用する基準信号を、主とする前記基準信号から副とする前記基準信号へ切り替え、副とする前記基準信号を送信する請求項１に記載の基準信号発生器。
【請求項３】
前記ネットワーク回線は、上位ネットワークから前記基地局装置へ通信データを送信する回線である請求項２に記載の基準信号発生器。
【請求項４】
請求項１〜３のいずれか一項に記載の基準信号発生器と、この基準信号発生器から受信した前記基準信号に基づいて基地局装置同士で送信タイミングを一致させて無線信号を送信する基地局装置と、を備えたことを特徴とする基地局システム。
【請求項５】
基地局装置同士の無線信号の送信タイミングを一致させるのに使用される基準信号を基地局装置に送信する信号伝送方法であって、
異なる伝送路を介してそれぞれ受信した信号に基づいて前記基準信号を複数について取得可能であり、
前記基準信号が信頼できるか否かの状態を検知し、この検知結果に応じて、複数について取得可能である前記基準信号の内から使用する基準信号を選択して前記基地局装置に送信することを特徴とする信号伝送方法。
【発明の詳細な説明】
【技術分野】
【０００１】
この発明は、基準信号発生器、基地局システム及び信号伝送方法に関する。
【背景技術】
【０００２】
基地局装置と通信端末との間で行なわれる無線通信の方式として、一つの周波数を時分割して送信受信を行なう時分割復信（ＴＤＤ；Time Division Duplex）方式がある。この方式では、複数の基地局装置同士の無線信号の送受信タイミングを同期させる必要がある。これは、基地局装置同士で送受信タイミングが不一致であると、基地局装置は、通信端末からの無線信号の他に、他の基地局装置が送信した無線信号を受信してしまうためである。すなわち、送受信タイミングに不一致が生じていると受信干渉が発生し、安定した通信が行なわれないためである。
【０００３】
ＴＤＤ方式が用いられた通信システムとしてＰＨＳ（Personal Handy-phone System）がある。このＰＨＳでは、ある基地局装置が、他の基地局装置が送信した無線信号を受信することによって、基地局装置同士で送信タイミングを同期する方法が採用されている。
また、他の通信システムとしてＣＤＭＡ（Code Division Multiple Access）による移動体電話システムがあり、この場合、複数の基地局装置同士で拡散コードを同期させる必要がある。
このような基地局装置から送信する無線信号の位相を同期させる技術として、衛星から送信された信号を基準とするものがある（例えば、特許文献１参照）。具体的には、例えばＧＰＳ（Global Positioning System）が利用されている。ＧＰＳ受信器は、ＧＰＳ衛星からの信号に基づいて１秒毎のパルス（１ＰＰＳ：１Pulse Per Second）と、１０ＭＨｚのクロック信号とを正確に出力することができる。そこで、各基地局装置は、ＧＰＳ受信器から１ＰＰＳの信号を受信し、送信フレームの送信開始をこの１ＰＰＳの立ち上がりと同期させることで、基地局装置同士の送信タイミングを一致させることが可能となる。また、１０ＭＨｚのクロック信号は、基地局装置において無線周波数の原発振周波数として使用される。
【０００４】
【特許文献１】特開昭５９−６６４２号公報
【発明の開示】
【発明が解決しようとする課題】
【０００５】
このように、基地局装置は、ＧＰＳ受信器から１ＰＰＳの信号を基準信号として受信可能であり、この基準信号に基づいて送信タイミングを同期させる処理を行なっている。
しかし、ＧＰＳ受信器の故障や、ＧＰＳ受信器のアンテナに氷雪が付着する等の不具合が発生すると、ＧＰＳ受信器は正確な基準信号を取得することができず、これにより、基地局装置同士の送信タイミングを一致させることができなくなる。
特に、基地局装置同士が近接して設けられている場合で、図６に示しているように、基地局装置Ａ，Ｂ同士で送信タイミングにずれが生じていると干渉が発生する（干渉が生じている時間帯をｎで示している）。このように干渉が生じると、端末から基地局装置への上り通信の途絶が頻繁に発生し、システム全体のスループットが大幅に低下してしまう。
そこで、本発明は、基地局装置に基準信号を安定して送信することができる基準信号発生器、この基準信号発生器を備えた基地局システム、及び、信号伝送方法を提供することを目的とする。
【課題を解決するための手段】
【０００６】
前記目的を達成するための本発明は、基地局装置同士の無線信号の送信タイミングを一致させるのに使用される基準信号を基地局装置に送信する基準信号発生器であって、前記基準信号をそれぞれ取得する複数の取得部と、前記基準信号が信頼できるか否かの状態を検知する検知部と、前記検知部による検知結果に応じて複数の前記取得部がそれぞれ取得する前記基準信号の内から使用する基準信号を選択して前記基地局装置に送信する選択部とを備えているものである。
この基準信号発生器によれば、検知部は基準信号が信頼できるか否かの状態を検知し、選択部は、この基準信号の状態に応じて、複数の取得部がそれぞれ取得する基準信号の内から使用する基準信号を選択して基地局装置に送信するので、一の取得部が取得する基準信号が信頼できない状態にあっても、検知部がこれを検知することにより、選択部は他の取得部が取得する基準信号を選択してこれを基地局装置に送信することができる。このように、基準信号を基地局装置に安定して送信することができる。
【０００７】
また、前記基準信号発生器は、前記複数の取得部として、ＧＰＳ信号に基づいて主とする前記基準信号を取得する第一取得部と、ネットワーク回線を介して副とする前記基準信号を取得する第二取得部とを備え、前記検知部は、主とする前記基準信号が信頼できるか否かの状態を検知し、前記選択部は、前記検知部による検知結果に応じて、使用する基準信号を、主とする前記基準信号から副とする前記基準信号へ切り替え、副とする前記基準信号を送信するのが好ましい。
これによれば、第一取得部が取得している基準信号を主として基地局装置へ送信することで、基地局装置同士で無線信号の送信タイミングを一致させることができる。そして、この主とする前記基準信号が信頼できない状態にあっても、検知部がこれを検知することにより、選択部は、使用する基準信号を、主とする前記基準信号から副とする前記基準信号へ切り替え、副とする前記基準信号を送信することができる。これにより、基地局装置は、副とする前記基準信号に基づいて基地局装置同士の送信タイミングを一致させることができる。
【０００８】
また、この基準信号発生器において、前記ネットワーク回線は、上位ネットワークから前記基地局装置へ通信データを送信する回線であるのが好ましい。
これによれば、上位ネットワークから基地局装置へ通信データを送信する回線を、副となる前記基準信号を前記第二取得部が取得するための前記ネットワーク回線としていることから、副となる前記基準信号を取得するために新たなネットワーク回線を別途設ける必要がない。
【０００９】
また、本発明の基地局システムは、前記基準信号発生器と、この基準信号発生器から受信した前記基準信号に基づいて基地局装置同士で送信タイミングを一致させて無線信号を送信する基地局装置とを備えたものである。
これによれば、基準信号発生器は、基準信号を基地局装置に安定して送信することができることから、基地局装置は、この基準信号に基づいて基地局装置同士の送信タイミングを一致させることができる。
【００１０】
また、本発明は、基地局装置同士の無線信号の送信タイミングを一致させるのに使用される基準信号を基地局装置に送信する信号伝送方法であって、異なる伝送路を介してそれぞれ受信した信号に基づいて前記基準信号を複数について取得可能であり、前記基準信号が信頼できるか否かの状態を検知し、この検知結果に応じて、複数について取得可能である前記基準信号の内から使用する基準信号を選択して前記基地局装置に送信する方法である。
これによれば、異なる伝送路を介してそれぞれ受信した信号に基づいて、複数の基準信号を取得していることから、一の伝送路に不具合が生じも、他の伝送路から受信した信号に基づいて基準信号を取得することができる。
また、基準信号の状態に応じて、複数について取得可能である基準信号の内から使用する基準信号を選択して基地局装置に送信するので、取得する一の基準信号が信頼できない状態にあっても、他の基準信号を選択して基地局装置に送信することができる。このように、基準信号を基地局装置に安定して送信することができる。
【発明の効果】
【００１１】
本発明に係る基準信号発生器及び信号伝送方法によれば、取得する基準信号が信頼できない状態にあっても、他の取得部が取得する基準信号を選択して基地局装置に送信することができる。このように、基準信号を基地局装置に安定して送信することができる。
そして、本発明に係る基地局システムによれば、基地局装置は、基準信号を安定して受信することができるので、基地局装置同士で無線信号の送信タイミングを一致させることができる。これにより、基地局装置同士による干渉を防止することができ、端末との間で安定した通信を行なうことができる。
【発明を実施するための最良の形態】
【００１２】
以下、本発明の実施の形態を図面に基づいて説明する。
［通信システムの全体構成について］
図１は、モバイルＷｉＭＡＸにおける通信システムの全体構成を示している。この通信システムは、複数の基地局装置（ＢＳ；Base Station）２と、この基地局装置２の通信相手となる移動端末などの端末（ＭＳ；Mobile Station）１と、アクセス制御装置となるＡＳＮ−ＧＷ（Access Service Network Gateway）３とを備えている。通常、複数の基地局装置２が、ＡＳＮ−ＧＷ３に接続されている。また、ＡＳＮ−ＧＷ３は、インターネットやその他のネットワークなどの上位ネットワークＮに接続されている。そして、上位ネットワークＮから端末１へ送信される情報は、ＡＳＮ−ＧＷ３を経由して、基地局装置２から端末１へ無線信号として送信されることになる。
【００１３】
図２は本発明の基地局システムが備えている基地局装置２の概略を説明しているブロック図である。基地局装置２は、イーサネット（登録商標）回線が使用され、インターネット等の前記上位ネットワークＮと接続されている。なお、このネットワークＮには、図示していないが多数の基地局装置２が接続されている。さらに、このネットワークＮには、基地局システムが備えているＩＥＥＥ１５８８仕様のマスタ装置６が接続されている。このマスタ装置６の機能は後に説明する。
【００１４】
［基地局装置２について］
各基地局装置２は、複数（図２では三つ）のセクタ装置４ａ，４ｂ，４ｃと、ネットワークＮの中継器であるレイヤ２スイッチ１３とを備えている。
前記セクタ装置４ａ，４ｂ，４ｃのそれぞれは、図示していないが、アンテナを有しており、一つの基地局装置２において、各アンテナは他のアンテナと異なる指向性を有するようにして設置されている。これら三つのアンテナ（三つのセクタ装置４ａ，４ｂ，４ｃ）によって、三つのセクタに分割された一つの通信エリアが得られる。
前記レイヤ２スイッチ１３は、データの行き先を判断して転送を行なうことができ、従来知られているものを採用することができる。
【００１５】
図３は、セクタ装置４ａと、基地局システムが備えている基準信号発生器３０とを説明しているブロック図である。なお、図２に示した三つのセクタ装置４ａ，４ｂ，４ｃのそれぞれは構成が同じであり、図３では、第一のセクタ装置４ａを代表として示している。
セクタ装置４ａは、イーサネットトランシーバ１４を介して前記レイヤ２スイッチ１３と接続されており、セクタ装置４ａはネットワークＮとの間で通信データ（アップリンクデータ及びダウンリンクデータ）の送受信が行なわれる。
【００１６】
セクタ装置４ａはネットワークＮからの通信データに基づいて送信データ及び送信フレームを生成する送信データ生成部１６ａと、端末１（図１参照）から受信した受信データを生成する受信データ生成部１６ｂとを有している。このセクタ装置４ａは、図３に示しているように、変調器、復調器、アンプ、ミキサ等を有しており、これにより、セクタ装置４ａは、端末１（図１参照）に対して無線信号を生成し送信するように構成されている。なお、セクタ装置４ａの構成は図示したもの以外であってもよい。
【００１７】
［基準信号発生器３０について］
基準信号発生器３０は基地局装置２毎に設置されている。すなわち、基地局装置２のそれぞれは例えば建物の屋上に設置されており、この屋上に基準信号発生器３０も設置されている。基準信号発生器３０は、基準信号をセクタ装置４ａ，４ｂ，４ｃにそれぞれ送信する（基地局装置２に送信する）ものである。前記基準信号は、基地局装置２同士の無線信号の送信タイミングを一致させるのに使用される信号であり、詳しくは後に説明する。
【００１８】
基準信号発生器３０は、前記基準信号をそれぞれ取得可能である複数の取得部として、ＧＰＳ受信器（第一取得部）１１と、ＩＥＥＥ１５８８仕様のスレーブ装置（第二取得部）７とを備えている。さらに、基準信号発生器３０は、前記基準信号が信頼できるか否かの状態を検知する検知部９と、ＧＰＳ受信器１１とスレーブ装置７とがそれぞれ取得する前記基準信号の内から使用する基準信号を選択して基地局装置２に送信する選択部１０とを備えている。
【００１９】
前記ＧＰＳ受信器１１は、図示していないがＧＰＳアンテナを有しており、ＧＰＳ衛星から受信した信号を処理するものであり、従来知られているものを採用することができる。ＧＰＳ受信器１１は、ＧＰＳ衛星から受信した信号に基づいて、基地局装置２（セクタ装置４ａ）が原発振周波数として使用する周波数信号Ｓ１と、基地局装置２（セクタ装置４ａ）が基地局装置同士の無線信号の送信タイミングを一致させるために使用する前記基準信号とを生成する。以下、この基準信号に符号Ｓ２を付して説明する。
【００２０】
前記周波数信号Ｓ１は、セクタ装置４ａ，４ｂ，４ｃが無線周波数の原発振周波数としてそれぞれ使用する高周波の信号であり、具体的には、１０ＭＨｚのクロック信号である。この１０ＭＨｚのクロック信号を受信したセクタ装置４ａ，４ｂ，４ｃは、当該クロック信号を基準周波数としてＰＬＬ方式により所望の周波数を生成することができる。
【００２１】
前記基準信号Ｓ２は、セクタ装置４ａ，４ｂ，４ｃが使用する低周波の信号であり、具体的には、１秒毎のパルス信号（以下、１ＰＰＳ信号という；１Pulse Per Second）である。この１ＰＰＳ信号を受信したセクタ装置４ａ，４ｂ，４ｃは、前記のとおり送信データ及び送信フレームを生成すると共に、送信フレームの送信開始時刻を前記１ＰＰＳ信号のパルスの立ち上がりと同期させることにより、セクタ装置同士の送信タイミングを一致させる処理を行なうことができる。
【００２２】
また、図外にある別の基地局装置２についても同様の基準信号発生器３０が接続されており、この基準信号発生器３０についても前記ＧＰＳ受信器１１を備えていることから、当該別の基地局装置２（この基地局装置２が備えているセクタ装置４ａ，４ｂ，４ｃ）もＧＰＳ受信器１１から基準信号Ｓ２として１ＰＰＳ信号を得ることができる。
これにより、複数配設されている基地局装置２は、基準信号Ｓ２となる１ＰＰＳ信号を同じ位相でそれぞれ取得することができ、この基準信号Ｓ２に基づいて、基地局装置同士で送信タイミングを一致させて無線信号を端末１（図１参照）に対して送信することができる。
【００２３】
前記スレーブ装置７は、前記マスタ装置６とネットワークＮ上で繋がっている。スレーブ装置７は、マスタ装置６の時計と同期するように構成されている。なお、マスタ装置６は、クロック源２０から１秒毎のパルス信号（１ＰＰＳ信号）を取得することができる。このクロック源２０はＧＰＳ受信器（第２ＧＰＳ受信器という）とすることができるが、この第二ＧＰＳ受信器は、前記基地局装置２と共に設置されている前記ＧＰＳ受信器（第一ＧＰＳ受信器）１１とは別のものである。第二ＧＰＳ受信器はマスタ装置６と共にネットワーク上の任意の場所に設置されている。マスタ装置６及びスレーブ装置７はＩＥＥＥ１５８８に準拠するものであり従来知られているものを採用することができる。
【００２４】
そして、スレーブ装置７は、マスタ装置６からネットワークＮを介して同期信号を受信することにより、当該マスタ装置６と同期することができる。すなわちスレーブ装置７は、マスタ装置６と同期している１ＰＰＳ信号を取得することができる。スレーブ装置７が取得したこの１ＰＰＳ信号が、基地局装置２同士の無線信号の送信タイミングを一致させるのに使用される基準信号となる。以下、この基準信号に符号Ｓ３を付して説明する。
【００２５】
基準信号発生器３０は、基地局装置同士の送信タイミングを一致させるのに使用される基準信号Ｓ２，Ｓ３をそれぞれ取得する二つの取得部として、ＧＰＳ受信器１１とスレーブ装置７とを備えた構成となる。ＧＰＳ受信器１１は、ＧＰＳ衛星から無線でＧＰＳ信号を直接受信し、このＧＰＳ信号に基づいて主とする基準信号Ｓ２（以下、主基準信号Ｓ２という）を取得する。一方、スレーブ装置７は、マスタ装置６からネットワーク回線（イーサネット回線）を介して同期信号を受信し、この同期信号に基づいて副とする基準信号Ｓ３（以下、副基準信号Ｓ３という）を取得する。
【００２６】
このように、二つの取得部であるＧＰＳ受信器１１とスレーブ装置７とは、それぞれ異なる伝送路を介して受信した信号に基づいて、主基準信号Ｓ２と副基準信号Ｓ３とを取得する。なお、第二の取得部であるスレーブ装置７を同期させるためにマスタ装置６が取得する１ＰＰＳの信号と、第一の取得部であるＧＰＳ受信器１１が取得する１ＰＰＳ信号とは、共にＧＰＳ衛星からの信号に基づくものであることから、同じ位相としてそれぞれ取得される。
【００２７】
また、基準信号発生器３０は、ＣＰＵ及び記憶部を有しているプログラマブルなマイコンを備えている。この記憶部に所定の各機能を実行するプログラムが格納されており、マイコンは、このプログラムが実行する機能部として前記検知部９を有している。
検知部９は、第一の取得部であるＧＰＳ受信器１１と、第二の取得部であるスレーブ装置７との内の少なくとも一方が取得している基準信号が信頼できるか否かの状態を検知することができるように構成されている。検知部９は、ＧＰＳ受信器１１からの主基準信号Ｓ２及び（又は）スレーブ装置７からの副基準信号Ｓ３を受信することができ、ＧＰＳ受信器１１からの主基準信号Ｓ２の途切れ及び（又は）スレーブ装置７及び副基準信号Ｓ３の途切れを検知することができる。
さらに説明すると、ＧＰＳ受信器１１からの主基準信号Ｓ２が信頼できる状態にあるか信頼できない状態にあるかを検知する方法は、ＧＰＳ受信器１１からの状態信号（異常アラーム信号）を監視することにより行なうことができる。例えば、ＧＰＳ受信器１１においてＧＰＳ信号から基準信号の抽出ができない場合、抽出した基準信号の周波数が安定していない場合、又は、基準信号が断続している場合など、送信タイミングの同期処理を行なわせるために不充分である場合に、基準信号が信頼できない状態にあると判断することができる。また、スレーブ装置７からの副基準信号Ｓ３が信頼できるか否かの状態を検知する方法も、同様に行なうことができる。
これにより、検知部９は、ＧＰＳ受信器１１及びスレーブ装置７における基準信号の取得状態を検知することができる。そして、検知部９は、検知結果の信号（正常信号又は以上信号）を前記選択部１０へ送信することができる。
【００２８】
選択部１０は、前記検知部９による検知結果の信号を受信すると、その信号に応じて、二つの取得部であるＧＰＳ受信器１１及びスレーブ装置７がそれぞれ取得する主基準信号Ｓ２及び副基準信号Ｓ３の内から、送信タイミングを一致させるために使用させる基準信号を選択して、セクタ装置４ａ，４ｂ，４ｃへそれぞれ送信する（基地局装置２へ送信する）ことができるように構成されている。具体的には、選択部１０は切り換え器（スイッチ）を有しており、基準信号発生器３０からセクタ装置４ａへ送信する基準信号を切り替えることができる。
【００２９】
そして、ＧＰＳ受信器１１及びスレーブ装置７がそれぞれ取得した主基準信号Ｓ２及び副基準信号Ｓ３の内の一方を受信したセクタ装置４ａは、当該信号（Ｓ２又はＳ３）に基づいて、基地局装置同士の無線信号の送信タイミングを一致させる処理（以下、同期処理という）を行なう機能を有している。つまり、セクタ装置４ａは、生成した送信フレームの送信開始時刻を１ＰＰＳ信号である前記基準信号（Ｓ２又はＳ３）のパルスの立ち上がりと同期させることにより、基地局装置同士の送信タイミングを一致させる処理を行なうことができる。
【００３０】
［基地局システムが行なう処理について］
以上のように構成された基地局システムにおいて行なわれる処理について説明する。
基準信号発生器３０は基準信号を基地局装置２（セクタ装置４ａ，４ｂ，４ｃのそれぞれ）に送信する。この基準信号発生器３０による信号伝送方法は、基準信号発生器３０が、異なる伝送路を介してそれぞれ受信した信号に基づいて基準信号を複数について取得可能であり、取得するこの基準信号が信頼できるか否かの状態を検知し、この検知結果に応じて複数について取得可能である前記基準信号Ｓ２，Ｓ３の内から使用する基準信号を選択して基地局装置２に送信することにより行なわれる。そして、基準信号を受信した基地局装置２は、当該基準信号に基づいて、基地局装置同士の無線信号の送信タイミングを一致させ、端末１（図１）に対して信号を送信する。
【００３１】
具体例を図３と図４とにより説明する。図４は、基準信号発生器３０の機能を説明するフロー図である。
各基地局装置２において、当該基地局装置２と同じ場所に設置されたＧＰＳ受信器１１は、ＧＰＳ信号に基づいて主基準信号Ｓ２を取得する（図４のステップＳ１）。さらに、スレーブ装置７は、前記基地局装置２とは別の設置場所に設置されたマスタ装置６とイーサネット回線を介して通信を行い、スレーブ装置７は、副基準信号Ｓ３を取得することができる。
【００３２】
前記検知部９は、ＧＰＳ受信器１１が出力している主基準信号Ｓ２が信頼できるか否かの状態を検知する（例えばＧＰＳ受信器１１の状態信号を検知する）ことにより、ＧＰＳ受信器１１における受信状態を検知する（図４のステップＳ２）。検知部９は、主基準信号Ｓ２が信頼できる（ＧＰＳ受信器１１の状態信号が正常である）と検知すると（正常であると判定すると）、検知結果の信号として正常信号を選択部１０へ送信する。一方、検知部９は、主基準信号Ｓ２が信頼できない（ＧＰＳ受信器１１の状態信号が異常である）と検知すると（異常であると判定すると）、検知結果の信号として異常信号を選択部１０へ送信する。
【００３３】
そして、前記選択部１０は、検知結果の信号を受信すると、基地局装置２（セクタ装置４ａ）で行なわれる前記同期処理において使用させる基準信号を、前記主基準信号Ｓ２から、スレーブ装置７が取得することができる副基準信号Ｓ３へと切り替えるか否かの判定を行なう（図４のステップＳ３）。
具体的に説明すると、検知部９が正常信号を選択部１０へ送信し、選択部１０がこの正常信号を受信すると、選択部１０はスイッチをＧＰＳ受信器１１側（図３の接点ａ側）に維持することによって、ＧＰＳ受信器１１から主基準信号Ｓ２をセクタ装置４ａへ送信する（図４のステップＳ４）。
【００３４】
一方、検知部９が異常信号を選択部１０へ送信し、選択部１０がこの異常信号を受信すると、選択部１０はスイッチをスレーブ装置７側（図３の接点ｂ側）へ切り替え、スレーブ装置７から副基準信号Ｓ２をセクタ装置４ａへ送信する（図４のステップＳ５）。
例えば基地局装置２と共に設置されているＧＰＳ受信器１１のアンテナに氷雪が付着することで、ＧＰＳ受信器１１がＧＰＳ信号を受信することができず、主基準信号Ｓ２を取得することができなくなると、検知部９は主基準信号Ｓ２が途絶したことを検知することができ、選択部１０は、前記同期処理で使用する基準信号を取得する取得部を、ＧＰＳ受信器１１からスレーブ装置７へと切り替える。
【００３５】
前記スレーブ装置７が副基準信号Ｓ３を取得するためのマスタ装置６のクロック源（前記第２ＧＰＳ受信部）は、見晴らしが良く、また、氷雪などの影響を受けにくい環境（場所）に設置されている。このため、基地局装置２と共に設置されているＧＰＳ受信器１１が前記のとおり氷雪によって主基準信号Ｓ２を取得することができない場合であっても、これとは関係なくスレーブ装置７は副基準信号Ｓ３を取得することができる。
【００３６】
以上の実施形態による基地局装置２によれば、ＧＰＳ受信器１１が取得している主基準信号Ｓ２を主として使用することで、基地局装置同士で無線信号の送信タイミングを一致させることができる。そして、この主とする主基準信号Ｓ２のレベルが低下した場合（主基準信号Ｓ２の信頼性が低下した場合）でも又は主基準信号Ｓ２が途絶えた場合でも、検知部９がこれを検知することにより、選択部１０は、前記同期処理で使用させる基準信号を、主とする主基準信号Ｓ２から、スレーブ装置７が取得する副基準信号Ｓ３へ切り替える。これにより、基地局装置２は前記副基準信号Ｓ３に基づいた同期処理を行い、また、これとは別の基地局装置２は主基準信号Ｓ２（又は同様の切り替えが行なわれた副基準信号Ｓ３）に基づいて同期処理を行い、基地局装置同士の送信タイミングを一致させることができる。
このように、本発明の基準信号発生器３０では、基地局装置２へ基準信号を送信するために、スレーブ装置７がＧＰＳ受信器１１のバックアップ装置として使用される。
【００３７】
以上より、一つの基地局装置２と共に設置されているＧＰＳ受信器１１に不具合が発生し主基準信号Ｓ１が取得されなくても、スレーブ装置７が得た副基準信号Ｓ３を当該基地局装置２は使用することができる。この結果、基地局装置同士の無線信号の送信タイミングを一致させたままとすることができ、基地局装置同士による干渉が防止され、この一つの基地局装置２における不具合を、通信システム全体に影響を生じさせない。
【００３８】
また、モバイルＷｉＭＡＸにおける通信システムにおいて、各基地局装置２は、端末１との間で所定の情報通信を行なうために、バックボーン回線としてイーサネット回線を使用しており、上位ネットワークＮと既に接続されている。そして、この通信システムでは、スレーブ装置７が副基準信号Ｓ３を取得するために使用されるネットワーク回線として、上位ネットワークＮから前記セクタ装置４ａへ通信データを送信する回線が使用されている。このため、副となる副基準信号Ｓ３を取得するために新たなネットワーク回線を別途設ける必要がない。すなわち、新たなネットワーク回線を設けなくても、スレーブ装置７を前記バックアップ装置として簡単に得ることができる。さらに、マスタ装置６は、ネットワーク上の任意の場所に設置すればよく、既設の基地局システム側に、マスタ装置６及びスレーブ装置７を容易に追加することができる。
【００３９】
また、本発明は、図示した形態に限らず本発明の範囲内において他の形態のものであっても良い。前記実施形態では、ＧＰＳ受信器１１をメイン装置とし、スレーブ装置７をバックアップ装置として説明したが、スレーブ装置７をメイン装置とし、ＧＰＳ受信器１１をバックアップ装置としてもよい。この場合における基準信号発生器３０の機能を説明するフロー図は、図５である。
また、各基地局装置２において、三つのセクタ装置４ａ，４ｂ，４ｃが一つのＧＰＳ受信器１１を共用している場合を説明したが、各セクタ装置がＧＰＳ受信器１１を有していても良い。
また、前記実施の形態では、ネットワークから基準信号を取得する手段を、ＩＥＥＥ１５８８による構成として説明したが、これに限らず他のものであってもよい。
【図面の簡単な説明】
【００４０】
【図１】通信システムの全体構成を示している。
【図２】本発明の基地局システムが備えている基地局装置の概略を説明しているブロック図である。
【図３】セクタ装置と基準信号発生器とを説明しているブロック図である。
【図４】基準信号発生器の機能を説明するフロー図である。
【図５】他の実施形態における基準信号発生器の機能を説明するフロー図である。
【図６】基地局装置間で干渉の生じる区間を説明する説明図である。
【符号の説明】
【００４１】
１：端末、２：基地局装置、３：ＡＳＮ−ＧＷ、４ａ，４ｂ，４ｃ：セクタ装置、５：アンテナ、６：マスタ装置、７：スレーブ装置（第二取得部）、９：検知部、１０：選択部
１１：ＧＰＳ受信器（第一取得部）、１３：レイヤ２スイッチ、１４：イーサネットトランシーバ、１５：ラインドライバ、１６ａ：送信データ生成部、１６ｂ：受信データ生成部、２０：クロック源、３０：基準信号発生器、Ｓ１：周波数信号、Ｓ２：基準信号（主基準信号）、Ｓ３：基準信号（副基準信号）
【図１】
2009171228.tif 000003
【図２】
2009171228.tif 000004
【図３】
2009171228.tif 000005
【図４】
2009171228.tif 000006
【図５】
2009171228.tif 000007
【図６】
2009171228.tif 000008